(57)【要約】【課題】  ケーブルとコネクタとを接続する際、圧着部材が動かず、又回転しないようにして、接続の信頼性を向上することができるコネクタを提供する。【解決手段】  主外部導体２０ａに設けられる筒状の結線部２２は、シールド電線３０のシールド線３３と圧着される。圧着部材２０ｂは、結線部と協働してシールド線を挟持する。圧着部材には、シールド外筒部２１と結線部の間に上下の蓋部２３が設けられる。両蓋部は、後述する開口を被覆する。主外部導体の内部には、信号コンタクト１０の信号線接続部１１とシールド電線の信号線３１が位置するので、上下方向から圧着用治具が挿入可能なように２箇所の開口が設けられる。圧着部材の蓋部には、係止部２３ｂと一対の位置決め部２３ａが設けられる。係止部２３ｂと係合する被係止部２２ａと、位置決め部２３ａと係合する被位置決め部４１が、主外部導体に設けられる。【選択図】  図２
2008066149.tif 000002
【特許請求の範囲】
【請求項１】
ケーブルと接続するコネクタにおいて、
前記コネクタは、前記ケーブルの芯線と接続する端子部を備えるコンタクトと、前記コンタクトを保持するハウジングと、前記ケーブルのシールド線と接続する結線部を備える主外部導体と、前記シールド線を前記結線部と協働して挟持し、かつ、前記主外部導体に対して前記コンタクトの軸方向に装着される圧着部材とを有し、
前記主外部導体は、前記コンタクトの端子部と対向し、前記コンタクトの軸方向と直交する方向に少なくとも一つの開口と、少なくとも一つの被係止部とを有し、
前記圧着部材は、前記開口を被覆する蓋部と少なくとも一つの係止部とを有し、
前記圧着部材を前記主外部導体に装着した際、前記被係止部と前記係止部とが係合することにより、前記圧着部材が前記主外部導体への装着方向と反対方向への移動が阻止されることを特徴とするコネクタ。
【請求項２】
前記圧着部材は、位置決め部を有し、前記位置決め部と係合する被位置決め部が前記ハウジング又は前記主外部導体の少なくとも一方に設けられることを特徴とする請求項１記載のコネクタ。
【発明の詳細な説明】
【技術分野】
【０００１】
本発明は、ケーブルと接続するコネクタに関し、詳しく述べると、ケーブルとコネクタのコンタクトとの接続及びシールドに関する。
【背景技術】
【０００２】
従来の同軸コネクタについて本出願前に頒布された刊行物を引用して説明する（例えば、特許文献１参照。）。
【０００３】
図５と図６に示すように、同軸コネクタ１０４は、図中左半部がコネクタのプラグ部１４１、右半部が同軸コード１０１との接続部１４２であり、中心導体接続体１０５と外部導体接続体１０６とかしめ管１０７とから構成される。
【０００４】
中心導体接続体１０５は、絶縁プッシュ１５１にて中心と軸方向の位置出しが行われ、接続部１４２は所定長さの円管形で、同軸コード１０１の中心導体１０２を挿入して圧着接続させるが、この挿入突き当たり位置近くの直径方向に貫通孔１５２が設けられる。
【０００５】
外部導体接続体１０６は、中心導体１０２を同軸に囲む円筒状で、中心導体１０２の接続位置では前記貫通孔１５２と同方向に対向して円形の開口１６１が明けられ、同軸コード１０１との接続は、外部導体１０３と略同内径に細められた挿通孔１６２の外部面に、外部導体１０３を圧着接続させる構造とされる。
【０００６】
かしめ管１０７は、外部導体１０３に重ねて、外部からかしめて圧着接続させ、かしめ部分以外は外部導体接続体１０６に外接して、少なくとも開口１６１を塞ぎ、遮蔽する形状に長く延ばされる。
【０００７】
接続作業は、図６，７の圧着作業図に示すように、端末の各部を所定寸法に露出、端末処理させた同軸コード１０１を用い、かしめ管１０７を同軸コード１０１にはめてから、挿通孔１６２に中心導体１０２を通し、先端を中心導体接続体１０５の円管形部分に挿入させて行き、開口１６１から目視し、貫通孔１５２が中心導体１０２により塞がれる位置から突き当たるまでに進ませてから、圧着工具１０８を両開口１６１から接続部に当て支え、確実に接続させる。作業後も開口１６１から目視して、かしめ具合、及び貫通孔１５２が確実に中心導体１０２により塞がれていることを確認検査する。
【０００８】
外部導体１０３の接続は、中心導体１０２を進ませる際に、挿通孔１６２の外部面に外部導体１０３を被せながら一緒に進ませれば、外部導体１０３は所定長さが被さり、中心導体１０２の接続の後に、前以って通しておいたかしめ管１０７を外部導体１０３に重なる所定位置に戻し、圧着工具１８１を用いてかしめ管１０７を六角形に変形するまでかしめる。これにより、外部導体接続体１０６に外部導体１０３は確実に圧着接続される。
【０００９】
かしめ管１０７は所定位置に戻せば、片側は延びており、外部導体接続体１０６に外接して、開口１６１を塞いで、遮蔽する状態となる。
【００１０】
【特許文献１】実開平２−６９４８４号公報
【発明の開示】
【発明が解決しようとする課題】
【００１１】
前記従来の同軸コネクタでは、外部導体接続体１０６と同軸コード１０１等の全体が円筒状に構成されている。したがって、中心導体１０２と中心導体接続体１０５との圧着接続、及び、外部導体１０３と外部導体接続体１０６との圧着接続は、かしめ管１０７が動くこと及び回転に起因して、信頼性に欠ける。
【００１２】
そこで、本発明は、前記従来の同軸コネクタの欠点を改良し、ケーブルとコネクタとを接続する際、厚着部材が抜け落ちることがなく、又回転しないようにして、接続の信頼性を向上することができるコネクタを提供しようとするものである。
【課題を解決するための手段】
【００１３】
本発明は、前記課題を解決するため、次の手段を採用する。
【００１４】
１．ケーブル３０と接続するコネクタ１において、前記コネクタは、前記ケーブルの芯線３１と接続する端子部１１を備えるコンタクト１０と、前記コンタクトを保持するハウジング４０と、前記ケーブルのシールド線３３と接続する結線部２２を備える主外部導体２０ａと、前記シールド線を前記結線部と協働して挟持し、かつ、前記主外部導体に対して前記コンタクトの軸方向に装着される圧着部材２０ｂとを有し、前記主外部導体は、前記コンタクトの端子部と対向し、前記コンタクトの軸方向と直交する方向に少なくとも一つの開口５０と、少なくとも一つの被係止部２２ａ，２２ａ´とを有し、前記圧着部材は、前記開口を被覆する蓋部２３と少なくとも一つの係止部２３ｂ，２３´とを有し、前記圧着部材を前記主外部導体に装着した際、前記被係止部と前記係止部とが係合することにより、前記圧着部材が前記主外部導体への装着方向と反対方向への移動が阻止されるコネクタ。
【００１５】
２．前記圧着部材は、位置決め部２３ａを有し、前記位置決め部と係合する被位置決め部４１が前記ハウジング又は前記主外部導体の少なくとも一方に設けられる前記１記載のコネクタ。
【発明の効果】
【００１６】
明細書の説明から明らかなように、本発明は、次の効果を奏する。
【００１７】
圧着部材は係止部と位置決め部とを有し、ハウジング又は主外部導体の少なくとも一方に被位置決め部が設けられているので、ケーブルとコネクタとを接続する際、圧着部材が抜け落ちることがなく、又回転しない。したがって、シールド線の圧着接続の信頼性が、向上する。
【発明を実施するための最良の形態】
【００１８】
本発明の一実施例の同軸コネクタについて図１〜図４を参照して説明する。
【実施例１】
【００１９】
図１は、本発明の同軸コネクタ１の信号コンタクト１０の信号線接続部１１とシールド電線３０の信号線３１とが、また、主外部導体２０ａの結線部２２とシールド電線３０のシールド線３３とが、それぞれ圧着により接続される前の状態を示す正面図である。
【００２０】
図２は、同状態の断面図である。
【００２１】
同軸コネクタ１の中心に配設される信号コンタクト１０は、絶縁体製のハウジング４０内にそのコンタクト保持部１２によって位置決めされて保持される。ハウジング４０は、シールド外筒部２１により被覆される。外部導体２０（図３参照）は、主外部導体２０ａと、後述する圧着部材２０ｂとから構成される。主外部導体２０ａは、シールド外筒部２１と結線部２２とを有する。
【００２２】
主外部導体２０ａには、被係止部２２ａ、２２ａ´が設けられる。主外部導体２０ａに設けられる筒状の結線部２２は、シールド電線３０のシールド線３３と圧着される。圧着部材２０ｂは、結線部２２と協働してシールド線３３を挟持する。圧着部材２０ｂには、上下の蓋部２３が設けられる。両蓋部２３は、結線部２２と協働してシールド線３３を挟持する円筒部分から延設され、略平板状に形成され、後述する開口５０を被覆する。
【００２３】
従来の同軸コネクタでは、外部導体接続体の開口をシールドすること等のために、外部導体接続体の全周を被覆する必要がある。これに対して、本発明では、圧着部材の蓋部は、開口のみを被覆する。したがって、構造が簡素である。
【００２４】
主外部導体２０ａの内部には、信号コンタクト１０の信号線接続部１１とシールド電線３０の信号線３１が位置するので、上下方向から圧着用治具が挿入されることができるように２箇所の開口５０が設けられる。開口５０は、半田付けの場合には、１箇所で足りる。なお、シールド電線３０の信号線３１は、内被３２により被覆される。
【００２５】
また、圧着部材２０ｂの両蓋部２３には、係止部２３ｂ、２３ｂ´と一対の位置決め部２３ａが設けられる。位置決め部２３ａと係合する被位置決め部４１は、シールド外筒部２１に設けられるが、ハウジング４０に設けることもでき、更に、ハウジング４０とシールド外筒部２１の両方に設けることもできる。
【００２６】
図１，２の状態において、圧着部材２０ｂを同軸コネクタ１の信号コンタクト１０の軸方向（図の右方向）に移動させると、圧着部材２０ｂの係止部２３ｂ、２３ｂ´と主外部導体２０ａの被係止部２２ａ、２２ａ´とが係合し、又、圧着部材２０ｂの一対の位置決め部２３ａはシールド外筒部２１の一対の被位置決め部４１と係合し、図３，４の状態に至る。
【００２７】
係止部２３ｂ、２３ｂ´と被係止部２２ａ、２２ａ´とが係合することにより、圧着部材２０ｂが主外部導体２０ａに保持され、軸方向における装着方向とは反対側への移動を阻止される。すなわち、圧着部材２０ｂが主外部導体２０ａから抜け落ちない。又、装着方向への移動は、位置決め部２３ａと被位置決め部４１とにより阻止される。位置決め部２３ａと被位置決め部４１とが係合することにより、軸方向と直交する方向で主外部導体２０ａから遠ざかる方向への蓋部２３の移動が阻止される。すなわち、蓋部２３の浮きが防止される。又、圧着部材２０ｂが回転する回転方向への移動も防止される。
【００２８】
係止部２３ｂ、２３ｂ´と被係止部２２ａ、２２ａ´は図２で上下に両方設けたが、上のみ、すなわち係止部２３ｂと被係止部２２ａだけでも良いし、下側にのみ設けても良い。
【００２９】
図３，４の状態において、圧着用治具によってシールド電線３０の信号線３１と信号コンタクト１０の信号線接続部１１とを図２の上下の矢印方向に圧着して接続する。次に、同一の圧着用治具又は他の圧着用治具によってシールド電線３０のシールド線３３と主外部導体２０ａの結線部２２とを図４の矢印方向に圧着して接続する。
【００３０】
結線部２２は凹部２２ｂを有するので、シールド線３３を圧着した際、シールド線３３が凹部２２ｂに入り込み、接続の信頼性及び保持強度に優れる。又、爪部２２ｃがシールド電線３０の被覆に食い込むので、電線の保持強度が向上する。
【図面の簡単な説明】
【００３１】
【図１】本発明の実施例１の同軸コネクタとシールド電線とが圧着により接続される前の状態を示す正面図である。
【図２】同状態の一部を断面にした側面図である。
【図３】本発明の実施例１の同軸コネクタとシールド電線とが圧着により接続された後の状態を示す正面図である。
【図４】同状態の側面断面図である。
【図５】従来の同軸コネクタの断面図である。
【図６】同コネクタにおける中心導体を圧着作業するときの断面図である。
【図７】同コネクタにおける外部導体を圧着作業するときの断面図である。
【符号の説明】
【００３２】
１  同軸コネクタ
１０  信号コンタクト
１１  信号線接続部
１２  コンタクト保持部
２０  外部導体
２０ａ  主外部導体
２０ｂ  圧着部材
２１  シールド外筒部
２２  結線部
２２ａ，２２ａ´  被係止部
２２ｂ  凹部
２２ｃ  爪部
２３  蓋部
２３ａ  位置決め部
２３ｂ，２３ｂ´  係止部
３０  シールド電線
３１  信号線
３２  内被
３３  シールド線
４０  ハウジング
４１  被位置決め部
５０  開口
【図１】
2008066149.tif 000003
【図２】
2008066149.tif 000004
【図３】
2008066149.tif 000005
【図４】
2008066149.tif 000006
【図５】
2008066149.tif 000007
【図６】
2008066149.tif 000008
【図７】
2008066149.tif 000009